(57)【要約】【課題】無線ネットワークによって構築されたアドホックネットワークにデバイスを接続する場合、該アドホックネットワーク以外から接続許可を得る通信システムにおいて、無線ネットワークに対するセキュリティを向上させる。【解決手段】第１の通信範囲内で第１の通信方式を用いて無線通信を行う第１の通信部と、第２の通信範囲内で第２の通信方式を用いて無線通信を行う第２の通信部と、所定のエリアに位置する場合に、第１の通信方式による通信を確立するための設定情報を取得する設定情報取得部と、第１の通信部による他の通信装置との確立された通信を切断する切断処理部とを有し、第１の通信部は、設定情報を取得した他の通信装置との間で第１の通信方式を用いて無線通信を行い、切断処理部は、第２の通信範囲内に位置しない状態となった場合に、第１の通信部による他の通信装置との確立された通信を切断する。【選択図】図７
2016158103.tif 000002
【特許請求の範囲】
【請求項１】
第１の通信範囲内で第１の通信方式を用いて無線通信を行う第１の通信部と、
第２の通信範囲内で第２の通信方式を用いて無線通信を行う第２の通信部と、
所定のエリアに位置する場合に、前記第１の通信方式による通信を確立するための設定情報を取得する設定情報取得部と、
前記第１の通信部による他の通信装置との確立された通信を切断する切断処理部と
を有し、
前記第１の通信部は、前記設定情報を取得した他の通信装置との間で前記第１の通信方式を用いて無線通信を行い、
前記切断処理部は、前記第２の通信範囲内に位置しない状態となった場合に、前記第１の通信部による前記他の通信装置との確立された通信を切断する、通信装置。
【請求項２】
前記設定情報取得部は、前記所定のエリアをカバーする情報処理装置との間で短距離通信を行うことによって、前記設定情報を取得する、請求項１に記載の通信装置。
【請求項３】
前記短距離通信は、ＵＷＢ、可視光通信、および赤外線通信のいずれかである、請求項２に記載の通信装置。
【請求項４】
前記設定情報取得部は、前記所定のエリアをカバーする情報処理装置によって発せられる音波に基づいて、前記設定情報を取得する、請求項１に記載の通信装置。
【請求項５】
前記設定情報取得部は、情報処理装置によって表示される画像を取り込むことによって、前記設定情報を取得する、請求項１に記載の通信装置。
【請求項６】
前記設定情報取得部は、前記所定のエリアをカバーする情報処理装置との間で近接通信を行うことによって、前記設定情報を取得する、請求項１に記載の通信装置。
【請求項７】
前記第２の無線通信エリアは、前記第１の無線通信エリアに包含される、請求項１ないし６のいずれか１項に記載の通信装置。
【請求項８】
第１の通信範囲内で第１の通信方式を用いて無線通信を行う第１の通信部と、
第２の通信範囲内で第２の通信方式を用いて無線通信を行う第２の通信部と
を有する通信装置によって実行される通信方法であって、
所定のエリアに位置する場合に、前記第１の通信方式による通信を確立するための設定情報を取得し、
前記第１の通信部は、前記設定情報を受信した他の通信装置との間で前記第１の通信方式を用いて無線通信を行い、
前記第２の通信範囲内に位置しない状態となった場合に、前記第１の通信部による前記他の通信装置との確立された通信を切断する、通信方法。
【発明の詳細な説明】
【技術分野】
【０００１】
本発明は、無線通信システムに関する。
【背景技術】
【０００２】
無線ＬＡＮなどの無線ネットワークによって構築されたアドホックネットワークにデバイスを接続する場合、該アドホックネットワークよりも狭い通信エリアを持つ近距離無線通信を使用し、自動で接続許可を得るための認証を行う技術が知られている。
【０００３】
通信装置によって送信されるコンテンツを受信する際に、該通信装置とは異なる認証機器にデバイスを近接し、該通信装置との間でネットワークを確立する技術が知られている（例えば、特許文献１参照）。
【発明の概要】
【発明が解決しようとする課題】
【０００４】
デバイスが近距離無線通信の通信エリアに位置する場合には、壁などの遮蔽物により視認できない位置である場合でも、該デバイスに対して自動的に接続許可が与えられる場合があるため、無線ネットワークのセキュリティ上問題がある。
【０００５】
本発明は、無線ネットワークによって構築されたアドホックネットワークにデバイスを接続する場合、該アドホックネットワーク以外から接続許可を得る通信システムにおいて、無線ネットワークに対するセキュリティを向上させることを目的とする。
【課題を解決するための手段】
【０００６】
開示の一実施例の通信装置は、
第１の通信範囲内で第１の通信方式を用いて無線通信を行う第１の通信部と、
第２の通信範囲内で第２の通信方式を用いて無線通信を行う第２の通信部と、
所定のエリアに位置する場合に、前記第１の通信方式による通信を確立するための設定情報を取得する設定情報取得部と、
前記第１の通信部による他の通信装置との確立された通信を切断する切断処理部と
を有し、
前記第１の通信部は、前記設定情報を取得した他の通信装置との間で前記第１の通信方式を用いて無線通信を行い、
前記切断処理部は、前記第２の通信範囲内に位置しない状態となった場合に、前記第１の通信部による前記他の通信装置との確立された通信を切断する。
【発明の効果】
【０００７】
開示の実施例によれば、無線ネットワークによって構築されたアドホックネットワークにデバイスを接続する場合、該アドホックネットワーク以外から接続許可を得る通信システムにおいて、セキュリティを向上させることができる。
【図面の簡単な説明】
【０００８】
【図１】一実施の形態に係る無線通信システムの構成例を示す図である。
【図２】一実施の形態に係る第１の無線通信装置、および第２の無線通信装置のハードウェア構成例を示す図である。
【図３】一実施の形態に係る第３の無線通信装置のハードウェア構成例を示す図である。
【図４】一実施の形態に係る無線通信システムの動作を示すシーケンスチャートである。
【図５】一実施の形態に係る無線通信システムの動作を示すシーケンスチャートである。
【図６】一実施の形態に係る情報処理装置のハードウェア構成例（その１）を示す図である。
【図７】一実施の形態に係る無線通信システムを示す機能ブロック図（その１）である。
【図８】一実施の形態に係る情報処理装置のハードウェア構成例（その２）を示す図である。
【図９】一実施の形態に係る情報処理装置のハードウェア構成例（その３）を示す図である。
【図１０】一実施の形態に係る無線通信システムを示す機能ブロック図（その２）である。
【図１１】一実施の形態に係る情報処理装置のハードウェア構成例（その４）を示す図である。
【図１２】一実施の形態に係る無線通信システムを示す機能ブロック図（その３）である。
【図１３】一実施の形態に係る情報処理装置のハードウェア構成例（その５）を示す図である。
【図１４】一実施の形態に係る無線通信システムを示す機能ブロック図（その４）である。
【発明を実施するための形態】
【０００９】
次に、本発明を実施するための形態を、以下の実施例に基づき図面を参照しつつ説明する。以下で説明する実施例は一例に過ぎず、本発明が適用される実施の形態は、以下の実施例に限られない。
なお、実施例を説明するための全図において、同一機能を有するものは同一符号を用い、繰り返しの説明は省略する。
【００１０】
＜概要＞
＜無線通信システム＞
本実施の形態に係る無線通信システムは、無線ＬＡＮ(Local Area Network)などの第1の無線通信方式によって通信を行う第1の無線通信エリア内に、無線ＰＡＮ(Personal Area Network)などの第２の無線通信方式によって第1の無線通信エリアよりも狭い第２の無線通信エリアの無線ネットワークを形成する。さらに、無線通信システムは、所定のエリアを形成する。デバイスは、無線ＬＡＮおよび無線ＰＡＮにおいて通信を行うことができ、所定のエリアに進入した際に、無線ＬＡＮに設定されている認証情報、設定情報などのセットアップ情報を取得する。該デバイスは、所定のエリアで取得した認証情報、設定情報などのセットアップ情報を使用して、無線ＬＡＮに接続する。また、デバイスは、無線ＰＡＮから退出した際に、無線ＬＡＮとの間の通信を切断する処理を行う。つまり、デバイスは、無線ＬＡＮの第1の無線通信エリアのうち、無線ＰＡＮの第２の無線通信エリアと重複する限定した無線通信エリアで、所定のエリアで取得したセットアップ情報を使用して、無線ＬＡＮを介した通信ができる。
【００１１】
図１は、本実施の形態に係る無線通信システムを示す。本実施の形態に係る無線通信システムは、第１の無線通信装置１００と、第２の無線通信装置２００と、第３の無線通信装置３００ａ−３００ｅと、情報処理装置４００とを有する。以下、第３の無線通信装置３００ａ−３００ｅのうち任意の第３の無線通信装置は、「第３の無線通信装置３００」と表す。
【００１２】
第１の無線通信装置１００は、アクセスポイント、無線基地局などに搭載でき、無線ＬＡＮなどの第１の無線通信方式によって第１の無線通信エリア１５０を形成する。第２の無線通信装置２００は、アクセスポイント、無線基地局などに搭載でき、第１の無線通信エリア１５０内に、ブルートゥース（登録商標）などの近距離無線通信などの第２の無線通信方式によって該第１の無線通信エリア１５０よりも狭い第２の無線通信エリア２５０を形成する。図１に示される例では、第２の無線通信エリア２５０は、第１の無線通信エリア１５０に包含される。
【００１３】
第３の無線通信装置３００は、スマートフォン、タブレット端末、携帯ゲーム機、ノード型ＰＣなどの携帯可能な通信装置に搭載でき、第１の無線通信装置１００、及び第２の無線通信装置２００との間で無線通信ができる。ただし、第３の無線通信装置３００ａ−３００ｅは、所定のエリア４５０に進入した際に情報処理装置４００から第１の無線通信装置１００と接続する際に使用する認証情報、設定情報などのセットアップ情報を取得できる。第３の無線通信装置３００ａ−３００ｅは、第１の無線通信エリア１５０と第２の無線通信エリア２５０の重複する重複エリアに位置する場合に、情報処理装置４００から取得したセットアップ情報を使用して第１の無線通信装置１００との間で接続処理を行うことができる。
【００１４】
情報処理装置４００は、スマートフォン、タブレット端末、携帯ゲーム機、ノード型ＰＣなどの携帯可能な装置に搭載でき、第３の無線通信装置３００との間で通信ができる。ただし、情報処理装置４００は、第３の無線通信装置３００が所定のエリア４５０に進入した際に、該第３の無線通信装置３００がセットアップ情報を取得できるようにされている。
【００１５】
図１に示される例では、第２の無線通信エリア２５０は、第１の無線通信エリア１５０に包含されるため、重複エリアは第２の無線通信エリア２５０と同じエリアである。さらに、所定のエリア４５０は、第２の無線通信エリア２５０に包含される。
【００１６】
第３の無線通信装置３００ａは、第１の無線通信エリア１５０に位置するが重複エリアに位置しないため、第１の無線通信装置１００との間で通信を行うことができない。第３の無線通信装置３００ｂは、重複エリアに位置するが、所定のエリア４５０をカバーする情報処理装置４００からセットアップ情報を取得していないため第１の無線通信装置１００との間で接続処理を行うことができない。第３の無線通信装置３００ｃ、および３００ｄは、重複エリアに位置し、さらに、情報処理装置４００からセットアップ情報を取得している。このため、第３の無線通信装置３００ｃ、および３００ｄは、第１の無線通信装置１００との間で接続処理を行うことができる。第３の無線通信装置３００ｅは、所定のエリア４５０に位置しているためセットアップ情報を取得できるとともに、第１の無線通信装置１００との間で接続処理を行うことができる。
【００１７】
以下、一例として、第１の無線通信方式に無線ＬＡＮを適用し、第２の無線通信方式にブルートゥース(登録商標)を適用した場合について説明する。第２の無線通信方式に、非接触無線(NFC: Near  Field  Communications)を適用するようにしてもよい。
【００１８】
＜実施の形態のハードウェア構成＞
次に、本実施の形態のハードウェア構成を説明する。図２は、本実施の形態に係る第１の無線通信装置１００、および第２の無線通信装置２００のハードウェア構成例を示す。図２に示されているように、本実施の形態の第１の無線通信装置１００は、第１の無線通信方式の規格にしたがってアンテナを介して無線信号を送受信する第１の通信回路１０２と、第１の無線通信装置１００全体の動作を制御する第１のＣＰＵ(Central Processing Unit)１０４とを備える。また、第１の無線通信装置１００は、第１のＣＰＵ１０４の駆動に用いられる第１の無線通信装置用プログラム、送信データ等の各種データを記憶した第１のＲＯＭ(Read Only Memory)１０６を備える。また、第１の無線通信装置１００は、通信ネットワーク２を介してデータ伝送をするための第１のＩ／Ｆ(Interface)１０８と、第１の無線通信装置１００を第１の無線通信方式のアクセスポイントとして動作させる第１の通信制御部１１０とを備える。第１の通信回路１０２、第１のＣＰＵ１０４、第１のＲＯＭ１０６、第１のＩ／Ｆ１０８、および第１の通信制御部１１０は第１のバス１４０によって接続される。第１の無線通信装置用プログラムは、インストール可能な形式又は実行可能な形式のファイルで、記録メディア等の、コンピュータで読み取り可能な記録媒体に記録して流通させるようにしてもよい。
【００１９】
本実施の形態の第２の無線通信装置２００は、第２の無線通信方式の規格にしたがってアンテナを介して無線信号を送受信する第２の通信回路２０２と、第２の無線通信装置２００全体の動作を制御する第２のＣＰＵ２０４とを備える。また、第２の無線通信装置２００は、第２のＣＰＵ２０４の駆動に用いられる第２の無線通信装置用プログラム、送信データ等の各種データを記憶した第２のＲＯＭ２０６を備える。また、第２の無線通信装置２００は、通信ネットワーク２を介してデータ伝送をするための第２のＩ／Ｆ２０８と、第２の無線通信装置２００を第２の無線通信方式のアクセスポイントとして動作させる第２の通信制御部２１０とを備える。第２の通信回路２０２、第２のＣＰＵ２０４、第２のＲＯＭ２０６、第２のＩ／Ｆ２０８、および第２の通信制御部２１０は第２のバス２４０によって接続される。第２の無線通信装置用プログラムは、インストール可能な形式又は実行可能な形式のファイルで、記録メディア等の、コンピュータで読み取り可能な記録媒体に記録して流通させるようにしてもよい。
【００２０】
ここで、第１の無線通信装置１００、および第２の無線通信装置２００を一台の無線通信装置として構成することもできる。この場合、第１のＩ／Ｆ１０８と第２のＩ／Ｆ２０８は通信ネットワーク２を介さずに直接接続された構成となる。
【００２１】
図３は、本実施の形態に係る第３の無線通信装置３００のハードウェア構成例を示す。図３に示されているように、本実施の形態の第３の無線通信装置３００は、第１の無線通信方式の規格にしたがってアンテナを介して無線信号を送受信する第３の通信回路３０２と、第２の無線通信方式の規格にしたがってアンテナを介して無線信号を送受信する第４の通信回路３０４と、第３の無線通信装置３００全体の動作を制御する第３のＣＰＵ３０６とを備える。第３の無線通信装置３００は、ＩＰＬ(Initial Program Loader)等の第３のＣＰＵ３０６の駆動に用いられるプログラムを記憶した第３のＲＯＭ３０８と、第３のＣＰＵ３０６のワークエリアとして使用されるＲＡＭ３１０とを備える。第３の無線通信装置３００は、第３の無線通信装置用プログラム、画像データ、及び音声データ等の各種データを記憶するＥＥＰＲＯＭ(Electrically Erasable Programmable Read-Only Memory)３１２と、ＵＷＢ(Ultra Wide Band)、可視光通信、赤外線通信(IrDA: Infrared Data Association）などの短距離通信を行う短距離通信回路３１４と、加速度・方位センサ３１６とを備える。第３の無線通信装置３００は、フラッシュメモリ等の記録メディア３２０に対するデータの読み出し又は書き込み（記憶）を制御するメディアドライブ３１８と、特定方向からの音波を集める集音素子３２２と、第３のＣＰＵ３０６の制御に従って被写体を撮像して画像データを得る内蔵型の撮像素子３２４とを備える。撮像素子として、ＣＭＯＳ(Complementary Metal Oxide Semiconductor)や、ＣＣＤ（Charge Coupled Device）等が用いられる。第３の無線通信装置３００は、カーソル、メニュー、ウィンドウ、文字、又は画像などの各種情報を表示するとともに、ユーザの操作を受け付けるタッチパネル３２６と、第３の無線通信装置３００を電源である電池３２８とを備える。第３の無線通信装置３００は、ＱＲ(Quick Response)コード、バーコードなどの画像イメージを自動認識する自動認識回路３３０と、ＲＦタグ、ＩＣタグなどのタグから情報を読み取る読取機３３２と、上記各構成要素を図３に示されているように電気的に接続するためのアドレスバスやデータバス等のバスライン３５０を備える。
【００２２】
なお、第３の無線通信装置用プログラムは、インストール可能な形式又は実行可能な形式のファイルで、記録メディア３２０等のコンピュータで読み取り可能な記録媒体に記録して流通させるようにしてもよい。また、第３の無線通信装置用プログラムは、ＥＥＰＲＯＭ３１２ではなく第３のＲＯＭ３０８に記憶されるようにしてもよい。
【００２３】
＜無線通信システムの動作（その１）＞
図４は、本実施の形態に係る無線通信システムにおける接続処理を示す。図４に示される例では、第３の無線通信装置３００ａが、第１の無線通信装置１００との間で接続処理を行うことによって通信を確立する。第３の無線通信装置３００ｂ−３００ｅが、第１の無線通信装置１００との間で接続処理を行う場合についても適用できる。
【００２４】
ステップＳ１では、第２の無線通信エリア２５０を形成する第２の無線通信装置２００は、第３の無線通信装置３００ａに、第２の無線通信エリア２５０を示す通信範囲情報を送信する。例えば、第２の無線通信装置２００は、３つのアドバタイズメントチャネルを介してアドバタイズメントパケットを送信することで、周辺機器に対して自機の存在を知らせている。アドバタイズメントパケットには、第２の無線通信エリア２５０を示す通信範囲情報が含まれている。
【００２５】
ステップＳ２では、第３の無線通信装置３００ａは、第２の無線通信装置２００によって送信される通信範囲情報を受信し、該通信範囲情報に対する応答信号を第２の無線通信装置２００に送信する。第３の無線通信装置３００ａは、通信範囲情報を参照することで、第２の無線通信エリア２５０内に位置していることを認識する。
【００２６】
ステップＳ３では、第３の無線通信装置３００ａは、情報処理装置４００からセットアップ情報を取得できる所定のエリアに位置することによって、該情報処理装置４００からセットアップ情報を取得する。第３の無線通信装置３００ａは、第１の無線通信エリア１５０を形成する第１の無線通信装置１００と接続する際に使用するセットアップ情報を情報処理装置４００から取得する。例えば、第３の無線通信装置３００ａは、Ｗｉ−Ｆｉアライアンスで規格化された無線ＬＡＮ接続を容易化するＷＰＳ方式のＰＩＮコード（固有識別情報）などのセットアップ情報を、情報処理装置４００から取得する。
【００２７】
ステップＳ４では、第３の無線通信装置３００ａは、情報処理装置４００からセットアップ情報を受信すると、該セットアップ情報を使用して、セットアップを指示するセットアップ指示信号を第１の無線通信装置１００に送信する。
【００２８】
ステップＳ５では、第１の無線通信装置１００は、第３の無線通信装置３００ａによって送信されるセットアップ指示信号を受信すると、通信セットアップを行う。ステップＳ６では、第３の無線通信装置３００ａは、通信セットアップを行う。これによって、第１の無線通信エリアと第２の無線通信エリアとが重複する重複エリアにおいて、第３の無線通信装置３００ａと、第１の無線通信装置１００との間で第１の無線通信方式にしたがって通信が確立される。
【００２９】
このように、本実施の形態の無線通信システムでは、第３の無線通信装置３００は、情報処理装置４００からセットアップ情報を取得できる。第３の無線通信装置３００は、そのセットアップ情報を使用して、第１の無線通信装置１００によって形成される第１の無線通信エリア１５０と、第２の無線通信装置２００によって形成される第２の無線通信エリア２５０の重複エリアに位置する場合に、第１の無線通信装置１００との間でセットアップを行うことができる。
【００３０】
＜無線通信システムの動作（その２）＞
図５は、本実施の形態に係る無線通信システムにおける切断処理を示す。図５に示される例では、第３の無線通信装置３００ａが、第２の無線通信エリア２５０の外に移動した際に、第３の無線通信装置３００ａと第１の無線通信装置１００との間に確立された通信が切断される。図５に示される例では、第３の無線通信装置３００ｂ−３００ｅが、第２の無線通信エリア２５０の外に移動した際に、第３の無線通信装置３００ｂ−３００ｅと第１の無線通信装置１００との間に確立された通信が切断される場合についても適用できる。
【００３１】
ステップＳ１１では、第２の無線通信エリア２５０を形成する第２の無線通信装置２００は、第３の無線通信装置３００ａに、第２の無線通信エリア２５０を示す通信範囲情報を所定のタイミングで送信する。
【００３２】
ステップＳ１２では、第３の無線通信装置３００ａ、および第２の無線通信装置２００は、ＧＰＳ（Global Positioning System）などの測位装置を有し、それぞれ自機の現在位置を検出している。第３の無線通信装置３００ａは、第２の無線通信装置２００によって送信された通信範囲情報と、測位装置によって検出した現在位置とを比較することによって、第２の無線通信エリア２５０に現在位置があるか否かを判断する。また、第３の無線通信装置３００ａは、第２の無線通信装置２００によって送信される通信範囲情報の受信信号強度(RSSI: Received Signal Strength Indication)を測定し、該受信信号強度を距離に換算する。そして、第３の無線通信装置３００ａは、第２の無線通信装置２００によって送信された通信範囲情報と、受信信号強度を距離に換算したものとを比較することによって、第２の無線通信エリア２５０に現在位置があるか否かを判断するようにしてもよい。第３の無線通信装置３００ａは、第２の無線通信装置２００に第２の無線通信エリア２５０に現在位置があるか否かを表す情報を付帯した応答信号を送信する。
【００３３】
ステップＳ１３では、第２の無線通信装置２００は、第２の無線通信エリア２５０外に現在位置があることを示す応答信号を、第３の無線通信装置３００ａから受信した場合、第２の無線通信装置２００の通信を切断することを指示する切断指示信号を第３の無線通信装置３００ａに送信する。なお、第２の無線通信装置２００の電波の到達エリアは、第２の無線通信エリア２５０よりも広くなるように設定される。このため、第３の無線通信装置３００ａが、第２の無線通信エリア２５０の外に位置することとなっても、第２の無線通信装置２００によって送信される切断指示信号を受信することができる。
【００３４】
ステップＳ１４では、第３の無線通信装置３００ａは、第２の無線通信装置２００によって送信される切断指示信号を受信すると、第１の無線通信装置１００に通信を切断することを指示する切断指示信号を送信する。ステップＳ１５では、第１の無線通信装置１００は、通信を切断する処理を行う。ステップＳ１６では、第３の無線通信装置３００ａは、通信を切断する処理を行う。これにより、第３の無線通信装置３００ａと、第１の無線通信装置１００との間の通信が切断される。
【００３５】
ここで、第１の無線通信装置１００、および第２の無線通信装置２００を一台の無線通信装置として構成した場合には、第２の無線通信装置２００から第１の無線通信装置１００に、通信の切断指示信号が送信される。
【００３６】
なお、情報処理装置４００によって形成される所定のエリアは、第１の無線通信装置１００によってカバーされる第１の無線通信エリア１５０、および第２の無線通信装置２００によってカバーされる第２の無線通信エリア２５０と重複する必要はなく、第１の無線通信エリア１５０、および第２の無線通信エリア２５０の外に形成してもよい。
【００３７】
このように本実施の形態に係る無線通信システムでは、第１の無線通信装置１００によって形成される第１の無線通信エリア１５０内で、且つ第２の無線通信エリア２５０内に第３の無線通信装置３００ａ−３００ｂの通信を限定できる。このため、第１の無線通信エリア１５０を形成する第１の無線通信装置１００との間で通信を確立する許可を有しない第３の無線通信装置３００に対して、第２の無線通信エリア２５０に位置する間、第１の無線通信装置１００との間で通信を確立させて使用させることができる。
【００３８】
＜第１の実施の形態＞
本実施の形態に係る無線通信システムは、図１を参照して説明した無線通信システムを適用できる。無線通信システムでは、情報処理装置４００は、ＵＷＢ、可視光通信などの短距離通信によって所定のエリアを形成する。情報処理装置４００は、第３の無線通信装置３００が所定のエリアに進入したことによって、該第３の無線通信装置３００との間で接続処理を行い、セットアップ情報を送信する。
【００３９】
＜情報処理装置４００＞
図６は、本実施の形態に係る情報処理装置４００のハードウェア構成例を示す。情報処理装置４００は、短距離通信方式の規格にしたがってアンテナを介して無線信号を送受信する第４の通信回路４０２と、情報処理装置４００全体の動作を制御する第４のＣＰＵ４０４とを備える。また、情報処理装置４００は、情報処理装置４００の駆動に用いられる情報処理装置用プログラム、送信データ等の各種データを記憶した第４のＲＯＭ４０６と、第４のＣＰＵ４０４のワークエリアとして使用される第４のＲＡＭ４０８とを備える。第４の通信回路４０２、第４のＣＰＵ４０４、第４のＲＯＭ４０６、および第４のＲＡＭ４０８は第４のバス４４０によって接続される。情報処理装置用プログラムは、インストール可能な形式又は実行可能な形式のファイルで、記録メディア等の、コンピュータで読み取り可能な記録媒体に記録して流通させるようにしてもよい。
【００４０】
なお、第１の無線通信装置１００、第２の無線通信装置２００、情報処理装置４００を一台の無線通信装置として構成することもできる。
【００４１】
＜本実施の形態の機能構成＞
図７は本実施の形態に係る第１の無線通信装置１００、第２の無線通信装置２００、第３の無線通信装置３００、および情報処理装置４００の機能ブロック図である。
【００４２】
第１の無線通信装置１００は、第１の送受信部１００２と、第１の接続処理部１００４と、第１の切断処理部１００６と、第１の通信制御部１００８とを有している。これら各部は、図２に示されている第１の無線通信装置１００の各構成要素のいずれかが、第１のＲＯＭ１０６に記憶されている第１の無線通信装置用プログラムにしたがった第１のＣＰＵ１０４からの命令によって動作することで実現される機能又は手段である。
【００４３】
＜第１の無線通信装置１００＞
次に、第１の無線通信装置１００の各部を詳細に説明する。第１の無線通信装置１００の第１の送受信部１００２は、図２に示されている第１の通信回路１０２、及び第１のＣＰＵ１０４からの命令によって実現され、第１の無線通信方式によって第３の無線通信装置３００と各種データ（情報）の送受信を行う。
【００４４】
第１の無線通信装置１００の第１の接続処理部１００４は、図２に示されている第１のＣＰＵ１０４からの命令によって実現され、第３の無線通信装置３００によって送信されるセットアップ情報を使用して、第３の無線通信装置３００との間で第１の無線通信方式に基づいて接続処理を行うことによって通信を確立する。
【００４５】
第１の無線通信装置１００の第１の切断処理部１００６は、図２に示されている第１のＣＰＵ１０４からの命令によって実現され、第３の無線通信装置３００によって送信される切断指示にしたがって、第３の無線通信装置３００との間の通信を切断する。
【００４６】
第１の無線通信装置１００の第１の通信制御部１００８は、図２に示されている第１のＣＰＵ１０４、および第１の通信制御部１１０からの命令によって実現され、第１の接続処理部１００４によって接続処理が行われた第３の無線通信装置３００と第１の無線通信装置１００との間で第１の無線通信方式に基づいて通信制御を行う。
【００４７】
＜第２の無線通信装置２００＞
第２の無線通信装置２００は、第２の送受信部２００２と、第２の接続処理部２００４と、第２の切断処理部２００６と、第２の通信制御部２００８と、記憶・読出処理部２０１０と、記憶部２０１２とを有している。これら各部は、図２に示されている第２の無線通信装置２００の各構成要素のいずれかが、第２のＲＯＭ２０６に記憶されている第２の無線通信装置用プログラムにしたがった第２のＣＰＵ２０４からの命令によって動作することで実現される機能又は手段である。
【００４８】
（第３の無線通信装置管理テーブル）
記憶部２０１２には、表１に示されているような第３の無線通信装置管理テーブルによって構成されている第３の無線通信装置管理ＤＢ２０１６が構築されている。
【００４９】
【表１】
2016158103.tif 000003
第３の無線通信装置管理テーブルは、第３の無線通信装置３００の第２の無線通信方式におけるアドレスと、第３の無線通信装置３００の種別と、第３の無線通信装置３００のＩＰアドレスとを紐付けることによって対応付けたものである。第３の無線通信装置３００の第２の無線通信方式におけるアドレスは、第２の無線通信方式によって第３の無線通信装置３００が発見される際に取得され、第２の無線通信方式によって行われる通信範囲の特定するために使用される。第３の無線通信装置３００の第２の無線通信方式におけるアドレスの一例は、BD_ADDR、BluetoothデバイスアドレスなどのBluetoothアドレスである。第３の無線通信装置３００の種別は、スマートデバイスなどのデバイスの種類を表す。第２の無線通信装置２００は、第３の無線通信装置管理テーブルに付帯されている情報に基づいて、制御対象を選択する。
【００５０】
＜第２の無線通信装置２００の各機能部＞
次に、第２の無線通信装置２００の各部を詳細に説明する。第２の無線通信装置２００の第２の送受信部２００２は、図２に示されている第２の通信回路２０２、及び第２のＣＰＵ２０４からの命令によって実現され、第２の無線通信方式によって第３の無線通信装置３００と各種データ（情報）の送受信を行う。
【００５１】
第２の無線通信装置２００の第２の接続処理部２００４は、図２に示されている第２のＣＰＵ２０４からの命令によって実現され、第３の無線通信装置３００に送信する通信範囲情報を作成し、第２の送受信部２００２から送信する。また、第２の接続処理部２００４は、該通信範囲情報を受信した第３の無線通信装置３００によって送信される応答信号を受信した場合に、該第３の無線通信装置３００との間でペアリング処理などの接続処理を行うことによって通信を確立する。
【００５２】
第２の無線通信装置２００の第２の切断処理部２００６は、図２に示されている第２のＣＰＵ２０４からの命令によって実現される。第２の切断処理部２００６は、第１の無線通信装置１００との間で通信を行っている第３の無線通信装置３００によって送信される応答信号に第２の無線通信エリア２５０の外に現在位置があることを示す情報が付帯されている場合、切断指示情報を作成し、第２の送受信部２００２から第３の無線通信装置３００に送信する。
【００５３】
第２の無線通信装置２００の第２の通信制御部２００８は、図２に示されている第２の通信制御部２１０からの命令によって実現され、第２の接続処理部２００４によって接続処理が行われた第３の無線通信装置３００と第２の無線通信装置２００との間で通信制御を行う。
【００５４】
第２の無線通信装置２００の記憶・読出処理部２０１０は、図２に示されている第２のＣＰＵ２０４からの命令、並びに一例として図２に示す第２のＲＯＭ２０６によって実現される。記憶・読出処理部２０１０は、記憶部２０１２に各種データを記憶したり、記憶部２０１２に記憶された各種データを読み出す処理を行う。
【００５５】
＜第３の無線通信装置３００＞
第３の無線通信装置３００は、第２の送受信部３００２と、通信範囲判断部３００４と、第２の接続処理部３００６と、セットアップ情報取得部３００８と、第２の切断処理部３０１０と、第１の送受信部３０１６と、第１の接続処理部３０１８と、第１の切断処理部３０２０と、記憶・読出処理部３０２２と、記憶部３０２４と、第３の送受信部３０２８と、第３の接続処理部３０３０と、第３の切断処理部３０３２とを有している。これら各部は、図３に示されている第３の無線通信装置３００の各構成要素のいずれかが、ＥＥＰＲＯＭ３１２に記憶されている第３の無線通信装置用プログラムにしたがった第３のＣＰＵ３０６の命令によって動作することで実現される機能又は手段である。
【００５６】
（第３の無線通信装置管理テーブル）
記憶部３０２４には、第３の無線通信装置管理テーブルによって構成されている第３の無線通信装置管理ＤＢ３０２６が構築されている。第３の無線通信装置管理テーブルは、上述した表１を適用できる。
【００５７】
＜第３の無線通信装置３００の各機能部＞
次に、第３の無線通信装置３００の各部を詳細に説明する。
【００５８】
第３の無線通信装置３００の第２の送受信部３００２は、図３に示されている第４の通信回路３０４、及び第３のＣＰＵ３０６からの命令によって実現され、第２の無線通信方式によって第２の無線通信装置２００と各種データ（情報）の送受信を行う。
【００５９】
第３の無線通信装置３００の通信範囲判断部３００４は、図３に示されている第３のＣＰＵ３０６からの命令によって実現される。通信範囲判断部３００４は、第２の無線通信装置２００によって送信される通信範囲情報と、該通信範囲情報の受信信号強度を距離に換算したものを比較することによって、第２の無線通信エリア２５０に現在位置があるか否かを判断する。通信範囲判断部３００４は、第２の無線通信エリア２５０に現在位置があるか否かを表す情報を付帯した応答信号を作成し、第２の送受信部３００２から第２の無線通信装置２００に送信する。
【００６０】
第３の無線通信装置３００の第２の接続処理部３００６は、図３に示されている第３のＣＰＵ３０６からの命令によって実現され、第２の無線通信装置２００との間で、第２の無線通信方式によって接続処理を行う。
【００６１】
第３の無線通信装置３００の第２の切断処理部３０１０は、図３に示されている第３のＣＰＵ３０６からの命令によって実現される。第２の切断処理部３０１０は、第２の無線通信装置２００との間における第２の無線通信方式による通信を切断する。
【００６２】
第３の無線通信装置３００の第１の送受信部３０１６は、図３に示されている第３の通信回路３０２、及び第３のＣＰＵ３０６からの命令によって実現され、第１の無線通信方式によって第１の無線通信装置１００と各種データ（情報）の送受信を行う。
【００６３】
第３の無線通信装置３００の第１の接続処理部３０１８は、図３に示されている第３のＣＰＵ３０６からの命令によって実現され、第１の無線通信装置１００との間で、第１の無線通信方式によって接続処理を行う。
【００６４】
第３の無線通信装置３００の第１の切断処理部３０２０は、図３に示されている第３のＣＰＵ３０６からの命令によって実現される。第１の切断処理部３０２０は、第１の無線通信装置１００との間における第１の無線通信方式による通信を切断する。
【００６５】
第３の無線通信装置３００の記憶・読出処理部３０２２は、図３に示されている第３のＣＰＵ３０６からの命令、並びに一例として図３に示すＥＥＰＲＯＭ３１２によって実現される。記憶・読出処理部３０２２は、記憶部３０２４に各種データを記憶したり、記憶部３０２４に記憶された各種データを読み出す処理を行う。
【００６６】
第３の無線通信装置３００の第３の送受信部３０２８は、図３に示されている短距離通信回路３１４、及び第３のＣＰＵ３０６からの命令によって実現される。第３の送受信部３０２８は、ＵＷＢ、可視光通信、赤外線通信などの短距離通信方式によって情報処理装置４００と各種データ（情報）の送受信を行う。
【００６７】
第３の無線通信装置３００の第３の接続処理部３０３０は、図３に示されている第３のＣＰＵ３０６からの命令によって実現される。第３の接続処理部３０３０は、情報処理装置４００との間で、短距離通信方式によって接続処理を行う。
【００６８】
第３の無線通信装置３００のセットアップ情報取得部３００８は、図３に示されている短距離通信回路３１４、および第３のＣＰＵ３０６からの命令によって実現される。セットアップ情報取得部３００８は、第３の接続処理部３０３０によって接続処理が行われた情報処理装置４００によって送信されるセットアップ情報を第３の送受信部３０２８から取得する。
【００６９】
第３の無線通信装置３００の第３の切断処理部３０３２は、図３に示されている第３のＣＰＵ３０６からの命令によって実現される。第３の切断処理部３０３２は、情報処理装置４００との間における短距離通信方式による通信を切断する。
【００７０】
＜情報処理装置４００＞
情報処理装置４００は、第３の送受信部４００２と、第３の接続処理部４００４と、第３の切断処理部４００６と、第３の通信制御部４００８と、記憶・読出処理部４０１０と、記憶部４０１２とを有している。これら各部は、図６に示されている情報処理装置４００の各構成要素のいずれかが、第４のＲＯＭ４０６に記憶されている情報処理装置用プログラムにしたがった第４のＣＰＵ４０４の命令によって動作することで実現される機能又は手段である。
【００７１】
（セットアップ情報管理テーブル）
記憶部４０１２には、表２に示されているようなセットアップ情報管理テーブルによって構成されているセットアップ情報管理ＤＢ２０１４が構築されている。
【００７２】
【表２】
2016158103.tif 000004
セットアップ情報管理テーブルは、第３の無線通信装置３００が第１の無線通信装置１００との間で第１の無線通信方式によって接続する際に使用するＳＳＩＤ(Service Set Identifier)、セキュリティ方式、パスワードなどのネットワークの情報、ＩＰアドレス、ポート番号などのアドレス情報などの接続情報を紐付けることによって対応付けたものである。ＳＳＩＤは無線ＬＡＮの識別情報であり、セキュリティ方式はＷＥＰ、ＷＰＡ、ＷＰＡ２、ＷＰＡ２−ＴＫＩＰ、ＡＥＳなどの暗号化方式の規格によって表される。
【００７３】
＜情報処理装置４００の各機能部＞
次に、情報処理装置４００の各部を詳細に説明する。
【００７４】
情報処理装置４００の第３の送受信部４００２は、図６に示されている第４の通信回路４０４、及び第４のＣＰＵ４０４からの命令によって実現され、短距離通信方式によって第３の無線通信装置３００と各種データ（情報）の送受信を行う。
【００７５】
情報処理装置４００の第３の接続処理部４００４は、図６に示されている第４のＣＰＵ４０４からの命令によって実現され、第３の無線通信装置３００との間で、短距離通信方式によって接続処理を行う。
【００７６】
情報処理装置４００の第３の切断処理部４００６は、図６に示されている第４のＣＰＵ４０４からの命令によって実現される。第３の切断処理部４００６は、第３の無線通信装置３００との間における短距離通信方式による通信を切断する。
【００７７】
情報処理装置４００の第３の通信制御部４００８は、図６に示されている第４のＣＰＵ４０４からの命令によって実現される。第３の通信制御部４００８は、第３の接続処理部４００４によって接続処理が行われた第３の無線通信装置３００との間で、短距離通信方式によって通信制御を行う。
【００７８】
情報処理装置４００の記憶・読出処理部４０１０は、図６に示されている第４のＣＰＵ４０４からの命令、並びに一例として図６に示す第４のＲＯＭ４０６によって実現される。記憶・読出処理部４０１０は、記憶部４０１２に各種データを記憶したり、記憶部４０１２に記憶された各種データを読み出す処理を行う。
【００７９】
＜無線通信システムの動作＞
無線通信システムの動作は、図４、および図５を適用できる。ただし、ステップＳ３において、第３の無線通信装置３００ａの第３の接続処理部３０３０は、情報処理装置４００の第３の接続処理部４００４との間で、短距離通信方式によって接続処理を行う。第３の無線通信装置３００ａのセットアップ情報取得部３００８は、情報処理装置４００にセットアップ情報を要求する。情報処理装置４００の第３の通信制御部４００８は、第３の無線通信装置３００ａによって送信されたセットアップ情報要求にしたがって、記憶・読出処理部４０１０に記憶部４０１２からセットアップ情報管理ＤＢ４０１４のセットアップ情報を読み出させることによって取得する。第３の通信制御部４００８は、該セットアップ情報を第３の無線通信装置３００ａに送信する。第３の無線通信装置３００ａの第３の送受信部３０２８は、情報処理装置４００によって送信されたセットアップ情報を受信する。
【００８０】
本実施の形態によれば、第３の無線通信装置３００は、第２の無線通信装置２００によってカバーされる第２の無線通信エリアよりも狭い所定のエリアで、第１の無線通信装置１００と接続する際に使用するセットアップ情報を取得できる。これによって、壁の外などの目に見えない場所にいるユーザによってセットアップ情報が取得されないため、セキュリティを向上させることができる。
【００８１】
＜第２の実施の形態＞
本実施の形態に係る無線通信システムは、図１を参照して説明した無線通信システムを適用できる。ただし、情報処理装置４００の代わりに、情報処理装置５００が用意される。無線通信システムでは、情報処理装置５００は、赤外線通信などの短距離通信によって所定のエリアを形成する。情報処理装置５００は、第３の無線通信装置３００が所定のエリアに進入したことによって、該第３の無線通信装置３００との間で接続処理を行い、セットアップ情報を送信する。
【００８２】
＜情報処理装置５００＞
図８は、本実施の形態に係る情報処理装置５００のハードウェア構成例を示す。情報処理装置５００は、短距離通信方式の規格にしたがって、赤外線による光信号を出力する第１の出力回路５０２と、情報処理装置５００全体の動作を制御する第５のＣＰＵ５０４とを備える。また、情報処理装置５００は、情報処理装置５００の駆動に用いられる情報処理装置用プログラム、送信データ等の各種データを記憶した第５のＲＯＭ５０６と、第５のＣＰＵ５０４のワークエリアとして使用される第５のＲＡＭ５０８とを備える。第１の出力回路５０２、第５のＣＰＵ５０４、第５のＲＯＭ５０６、および第５のＲＡＭ５０８は第５のバス５４０によって接続される。情報処理装置用プログラムは、インストール可能な形式又は実行可能な形式のファイルで、記録メディア等の、コンピュータで読み取り可能な記録媒体に記録して流通させるようにしてもよい。
なお、第１の無線通信装置１００、第２の無線通信装置２００、情報処理装置５００を一台の無線通信装置として構成することもできる。
【００８３】
＜本実施の形態の機能構成＞
本実施の形態に係る第１の無線通信装置１００、第２の無線通信装置２００、第３の無線通信装置３００、および情報処理装置５００の機能ブロック図は、図７を適用できる。ただし、第３の無線通信装置３００の第３の送受信部３０２８は、図３に示されている短距離通信回路３１４、及び第３のＣＰＵ３０６からの命令によって実現される。第３の送受信部３０２８は、赤外線通信などの短距離通信方式によって情報処理装置５００と各種データ（情報）の送受信を行う。また、第３の無線通信装置３００の第３の接続処理部３０３０は、図３に示されている第３のＣＰＵ３０６からの命令によって実現される。第３の接続処理部３０３０は、情報処理装置５００との間で、短距離通信方式によって接続処理を行う。第３の無線通信装置３００のセットアップ情報取得部３００８は、図３に示されている短距離通信回路３１４、および第３のＣＰＵ３０６からの命令によって実現され、第３の接続処理部３０３０によって接続処理が行われた情報処理装置５００によって送信されるセットアップ情報を第３の送受信部３０２８から取得する。第３の無線通信装置３００の第３の切断処理部３０３２は、図３に示されている第３のＣＰＵ３０６からの命令によって実現される。第３の切断処理部３０３２は、情報処理装置５００との間における短距離通信方式による通信を切断する。
【００８４】
＜情報処理装置５００＞
情報処理装置５００は、図７を適用できる。
【００８５】
＜無線通信システムの動作＞
無線通信システムの動作は、図４、および図５を適用できる。ただし、ステップＳ３において、第３の無線通信装置３００ａの第３の接続処理部３０３０は、情報処理装置５００の第３の接続処理部４００４との間で、短距離通信方式によって接続処理を行う。第３の無線通信装置３００ａのセットアップ情報取得部３００８は、情報処理装置５００にセットアップ情報を要求する。情報処理装置５００の第３の通信制御部４００８は、第３の無線通信装置３００ａによって送信されたセットアップ情報要求にしたがって、記憶・読出処理部４０１０に記憶部４０１２からセットアップ情報管理ＤＢ４０１４のセットアップ情報を読み出させることによって取得する。第３の通信制御部４００８は、該セットアップ情報を第３の無線通信装置３００ａに送信する。第３の無線通信装置３００ａの第３の送受信部３０２８は、情報処理装置５００によって送信されたセットアップ情報を受信する。
【００８６】
本実施の形態によれば、第３の無線通信装置３００は、第２の無線通信装置２００によってカバーされる第２の無線通信エリアよりも狭い所定のエリアで、第１の無線通信装置１００と接続する際に使用するセットアップ情報を取得できる。これによって、壁の外などの目に見えない場所にいるユーザによってセットアップ情報が取得されないため、セキュリティを向上させることができる。
【００８７】
＜第３の実施の形態＞
本実施の形態に係る無線通信システムは、図１を参照して説明した無線通信システムを適用できる。ただし、情報処理装置４００の代わりに、情報処理装置６００が用意される。無線通信システムでは、情報処理装置６００は、超音波、超低周波音などの音波によって、セットアップ情報を送信する。その結果、セットアップ情報を取得できる所定のエリアが形成される。第３の無線通信装置３００は、情報処理装置６００によって形成される所定のエリアに進入したことによって、情報処理装置６００によって発せられる音波を集音し、セットアップ情報を取得する。
【００８８】
＜情報処理装置６００＞
図９は、本実施の形態に係る情報処理装置６００のハードウェア構成例を示す。情報処理装置６００は、音波を出力する第２の出力回路６０２と、情報処理装置６００全体の動作を制御する第６のＣＰＵ６０４とを備える。また、情報処理装置６００は、情報処理装置６００の駆動に用いられる情報処理装置用プログラム、送信データ等の各種データを記憶した第６のＲＯＭ６０６と、第６のＣＰＵ６０４のワークエリアとして使用される第６のＲＡＭ６０８とを備える。第２の出力回路６０２、第６のＣＰＵ６０４、第６のＲＯＭ６０６、および第６のＲＡＭ６０８は第６のバス６４０によって接続される。情報処理装置用プログラムは、インストール可能な形式又は実行可能な形式のファイルで、記録メディア等の、コンピュータで読み取り可能な記録媒体に記録して流通させるようにしてもよい。
なお、第１の無線通信装置１００、第２の無線通信装置２００、情報処理装置６００を一台の無線通信装置として構成することもできる。
【００８９】
＜本実施の形態の機能構成＞
図１０は、本実施の形態に係る第１の無線通信装置１００、第２の無線通信装置２００、第３の無線通信装置３００、および情報処理装置６００の機能ブロック図を示す。第１の無線通信装置１００、および第２の無線通信装置２００は、図７を適用できる。第３の無線通信装置３００に関しては、図７に示した第３の無線通信装置において、第３の送受信部３０２８、第３の接続処理部３０３０、および第３の切断処理部３０３２の代わりに、集音処理部３０３４を有する。
【００９０】
第３の無線通信装置３００の集音処理部３０３４は、図３に示されている集音素子３２２、および第３のＣＰＵ３０６からの命令によって実現される。集音処理部３０３４は、情報処理装置６００によって発せられる音波を集音し、セットアップ情報取得部３００８に入力する。
【００９１】
第３の無線通信装置３００のセットアップ情報取得部３００８は、図３に示されている集音素子３２２、および第３のＣＰＵ３０６からの命令によって実現され、集音処理部３０３４によって集音された音波をデータに変換することによってセットアップ情報を取得する。
【００９２】
＜情報処理装置６００＞
情報処理装置６００は、音波出力部６００２と、音波出力制御部６００４と、記憶・読出処理部６００６と、記憶部６００８とを有する。記憶・読出処理部６００６、および記憶部６００８は、図７を適用できる。情報処理装置６００のの音波出力部６００２は、図９に示されている第２の出力回路６０２、及び第６のＣＰＵ６０４からの命令によって実現され、音波によってセットアップ情報を出力する。
【００９３】
情報処理装置６００の音波出力制御部６００４は、図９に示されている第６のＣＰＵ６０４からの命令によって実現される。音波出力制御部６００４は、音波出力部６００２から出力する音波の出力制御を行う。
【００９４】
情報処理装置６００の記憶・読出処理部６００６は、図９に示されている第６のＣＰＵ６０４からの命令、並びに一例として図９に示す第６のＲＯＭ６０６によって実現される。記憶・読出処理部６００６は、記憶部６００８に各種データを記憶したり、記憶部６００８に記憶された各種データを読み出す処理を行う。
【００９５】
＜無線通信システムの動作＞
無線通信システムの動作は、図４、および図５を適用できる。ただし、ステップＳ３において、情報処理装置６００の音波出力部６００２は、音波出力制御部６００４による制御にしたがって、音波によってセットアップ情報を送信する。第３の無線通信装置３００の集音処理部３０３４は、情報処理装置６００の音波出力部６００２によって出力される音波を集音する。セットアップ情報取得部３００８は、集音処理部３０３４によって集音された音波をデータに変換することによって、セットアップ情報を取得する。
【００９６】
本実施の形態によれば、第３の無線通信装置は、第２の無線通信装置によってカバーされる第２の無線通信エリアよりも狭い所定のエリアで、情報処理装置６００によって送信される音波に基づいて、第１の無線通信装置１００と接続する際に使用するセットアップ情報を取得できる。これによって、壁の外などの目に見えない場所にいるユーザによってセットアップ情報が取得されないため、セキュリティを向上させることができる。
【００９７】
＜第４の実施の形態＞
本実施の形態に係る無線通信システムは、図１を参照して説明した無線通信システムを適用できる。ただし、情報処理装置４００の代わりに、情報処理装置７００が用意される。無線通信システムでは、情報処理装置７００は、ＱＲコード(登録商標)、バーコードなどの画像イメージによって、セットアップ情報を第３の無線通信装置３００に取得させる。その結果、画像イメージを取り込むことによってセットアップ情報を取得できる所定のエリアが形成される。第３の無線通信装置３００は、所定のエリアに進入したことによって、情報処理装置７００によって表示される画像イメージを取り込み、セットアップ情報を取得する。
【００９８】
＜情報処理装置７００＞
図１１は、本実施の形態に係る情報処理装置７００のハードウェア構成例を示す。情報処理装置７００は、画像イメージを表示する表示回路７０２と、情報処理装置７００全体の動作を制御する第７のＣＰＵ７０４とを備える。また、情報処理装置７００は、情報処理装置７００の駆動に用いられる情報処理装置用プログラム、送信データ等の各種データを記憶した第７のＲＯＭ７０６と、第７のＣＰＵ７０４のワークエリアとして使用される第７のＲＡＭ７０８とを備える。表示回路７０２、第７のＣＰＵ７０４、第７のＲＯＭ７０６、および第７のＲＡＭ７０８は第７のバス７４０によって接続される。情報処理装置用プログラムは、インストール可能な形式又は実行可能な形式のファイルで、記録メディア等の、コンピュータで読み取り可能な記録媒体に記録して流通させるようにしてもよい。
なお、第１の無線通信装置１００、第２の無線通信装置２００、情報処理装置７００を一台の無線通信装置として構成することもできる。
【００９９】
＜本実施の形態の機能構成＞
図１２は、本実施の形態に係る第１の無線通信装置１００、第２の無線通信装置２００、第３の無線通信装置３００、および情報処理装置７００の機能ブロック図を示す。第１の無線通信装置１００、および第２の無線通信装置２００は、図７を適用できる。第３の無線通信装置３００に関しては、図７に示した第３の無線通信装置において、第３の送受信部３０２８、第３の接続処理部３０３０、および第３の切断処理部３０３２の代わりに、画像情報取込部３０３６を有する。
【０１００】
第３の無線通信装置３００の画像情報取込部３０３６は、図３に示されている自動認識回路３３０、および第３のＣＰＵ３０６からの命令によって実現される。画像情報取込部３０３６は、情報処理装置７００によって表示される画像イメージを取り込み、セットアップ情報取得部３００８に入力する。
【０１０１】
第３の無線通信装置３００のセットアップ情報取得部３００８は、図３に示されている自動認識回路３３０、および第３のＣＰＵ３０６からの命令によって実現され、画像情報取込部３０３６によって取り込んだ画像イメージに基づいてセットアップ情報を取得する。
【０１０２】
＜情報処理装置７００＞
情報処理装置７００は、表示制御部７００２と、記憶・読出処理部７００４と、記憶部７００６とを備える。記憶・読出処理部７００４、および記憶部７００６は、図７を適用できる。情報処理装置７００の表示制御部７００２は、図１１に示されている表示回路７０２、及び第７のＣＰＵ７０４からの命令によって実現され、画像イメージによってセットアップ情報を出力する。
【０１０３】
情報処理装置７００の記憶・読出処理部７００４は、図１１に示されている第７のＣＰＵ７０４からの命令、並びに図１１に示す第７のＲＯＭ７０６によって実現される。記憶・読出処理部７００４は、記憶部７００６に各種データを記憶したり、記憶部７００６に記憶された各種データを読み出す処理を行う。
【０１０４】
＜無線通信システムの動作＞
無線通信システムの動作は、図４、および図５を適用できる。ただし、ステップＳ３において、情報処理装置７００の表示制御部７００２は、画像イメージによってセットアップ情報を表示する。第３の無線通信装置３００の画像情報取込部３０３６は、情報処理装置７００の表示制御部７００２によって表示される画像イメージを取り込み、セットアップ情報取得部３００８は、画像情報取込部３０３６によって取り込まれた画像イメージに基づいて、セットアップ情報を取得する。
【０１０５】
本実施の形態によれば、第３の無線通信装置３００は、第２の無線通信装置２００によってカバーされる第２の無線通信エリアよりも狭い所定のエリアで、情報処理装置７００によって表示される画像イメージに基づいて、第１の無線通信装置１００と接続する際に使用するセットアップ情報を取得できる。これによって、壁の外などの目に見えない場所にいるユーザによってセットアップ情報が取得されないため、セキュリティを向上させることができる。
【０１０６】
＜第５の実施の形態＞
本実施の形態に係る無線通信システムは、図１を参照して説明した無線通信システムを適用できる。ただし、情報処理装置４００の代わりに、情報処理装置８００が用意される。無線通信システムでは、第３の無線通信装置３００は、ＲＦＩＤ(radio frequency identifier)などの近接通信によって、情報処理装置８００からセットアップ情報を取得する。第３の無線通信装置３００のユーザによって、情報処理装置８００の近接通信が可能なエリアに、例えば、第３の無線通信装置３００がかざされることによって、第３の無線通信装置３００と情報処理装置８００との間で近接通信が行われる。その結果、第３の無線通信装置３００は、情報処理装置８００によって送信されるセットアップ情報を取得する。
【０１０７】
＜情報処理装置８００＞
図１３は、本実施の形態に係る情報処理装置８００のハードウェア構成例を示す。情報処理装置８００は、近接通信方式の規格にしたがって無線信号を送受信する近接通信回路８０２と、情報処理装置８００全体の動作を制御する第８のＣＰＵ８０４とを備える。また、情報処理装置８００は、情報処理装置８００の駆動に用いられる情報処理装置用プログラム、送信データ等の各種データを記憶した第８のＲＯＭ８０６と、第８のＣＰＵ８０４のワークエリアとして使用される第８のＲＡＭ８０８とを備える。近接通信回路８０２、第８のＣＰＵ８０４、第８のＲＯＭ８０６、および第８のＲＡＭ８０８は第８のバス８４０によって接続される。情報処理装置用プログラムは、インストール可能な形式又は実行可能な形式のファイルで、記録メディア等の、コンピュータで読み取り可能な記録媒体に記録して流通させるようにしてもよい。
なお、第１の無線通信装置１００、第２の無線通信装置２００、情報処理装置８００を一台の無線通信装置として構成することもできる。
【０１０８】
＜本実施の形態の機能構成＞
図１４は、本実施の形態に係る第１の無線通信装置１００、第２の無線通信装置２００、第３の無線通信装置３００、および情報処理装置８００の機能ブロック図を示す。第１の無線通信装置１００、および第２の無線通信装置２００は、図７を適用できる。ただし、第３の無線通信装置３００に関しては、図７に示した第３の無線通信装置において、第３の送受信部３０２８、第３の接続処理部３０３０、および第３の切断処理部３０３２の代わりに、読取処理部３０３８を有する。
【０１０９】
第３の無線通信装置３００の読取処理部３０３８は、図３に示されている読取機３３２、および第３のＣＰＵ３０６からの命令によって実現される。読取処理部３０３８は、近接通信によって情報処理装置８００から送信される各種データ（情報）を読み取り、セットアップ情報取得部３００８に入力する。
【０１１０】
第３の無線通信装置３００のセットアップ情報取得部３００８は、図３に示されている読取機３３２、および第３のＣＰＵ３０６からの命令によって実現され、読取処理部３０３８によって読み取られたデータに基づいてセットアップ情報を取得する。
【０１１１】
＜情報処理装置８００＞
情報処理装置８００は、第４の送受信部８００２と、記憶・読出処理部８００４と、記憶部８００６とを備える。記憶・読出処理部８００４、および記憶部８００６は、図７を適用できる。情報処理装置８００の第４の送受信部８００２は、図１３に示されている近接通信回路８０２、及び第８のＣＰＵ８０４からの命令によって実現され、第３の無線通信装置３００の読取機３３２と近接した際に、セットアップ情報を出力する。
【０１１２】
情報処理装置８００の記憶・読出処理部８００４は、図１３に示されている第８のＣＰＵ８０４からの命令、並びに一例として図１３に示す第８のＲＯＭ８０６によって実現される。記憶・読出処理部８００４は、記憶部８００６に各種データを記憶したり、記憶部８００６に記憶された各種データを読み出す処理を行う。
【０１１３】
＜無線通信システムの動作＞
無線通信システムの動作は、図４、および図５を適用できる。ただし、ステップＳ３において、情報処理装置８００の第４の送受信部８００２は、近接通信によって、セットアップ情報を送信する。第３の無線通信装置３００の読取処理部３０３８は、情報処理装置８００の第４の送受信部８００２によって送信されるセットアップ情報を読み取り、セットアップ情報取得部３００８は、第４の送受信部８００２によって読み取られたセットアップ情報を取得する。
【０１１４】
本実施の形態によれば、第３の無線通信装置３００は、第２の無線通信装置２００によってカバーされる第２の無線通信エリアよりも狭い所定のエリアで、情報処理装置８００から、第１の無線通信装置１００と接続する際に使用するセットアップ情報を取得できる。これによって、壁の外などの目に見えない場所にいるユーザによってセットアップ情報が取得されないため、セキュリティを向上させることができる。
【０１１５】
本発明は特定の実施例、変形例を参照しながら説明されてきたが、各実施例、変形例は単なる例示に過ぎず、当業者は様々な変形例、修正例、代替例、置換例等を理解するであろう。説明の便宜上、本発明の実施例に従った装置は機能的なブロック図を用いて説明されたが、そのような装置はハードウェアで、ソフトウエアでまたはそれらの組み合わせで実現されてもよい。本発明は上記実施例に限定されず、本発明の精神から逸脱することなく、様々な変形例、修正例、代替例、置換例等が包含される。
【符号の説明】
【０１１６】
１００  第１の無線通信装置
１５０  第１の無線通信エリア
２００  第２の無線通信装置
２５０  第２の無線通信エリア
３００ａ−３００ｅ  第３の無線通信装置
４００、５００、６００、７００、８００  情報処理装置
４５０  所定のエリア
１００２  第１の送受信部
１００４  第１の接続処理部
１００６  第１の切断処理部
１００８  第１の通信制御部
２００２  第２の送受信部
２００４  第２の接続処理部
２００６  第２の切断処理部
２００８  第２の通信制御部
２０１０  記憶・読出処理部
２０１２  記憶部
２０１６  第３の無線通信装置管理ＤＢ
３００２  第２の送受信部
３００４  通信範囲判断部
３００６  第２の接続処理部
３００８  セットアップ情報取得部
３０１０  第２の切断処理部
３０１６  第１の送受信部
３０１８  第１の接続処理部
３０２０  第１の切断処理部
３０２２  記憶・読出処理部
３０２４  記憶部
３０２６  第３の無線通信装置管理ＤＢ
３０２８  第３の送受信部
３０３０  第３の接続処理部
３０３２  第３の切断処理部
３０３４  集音処理部
３０３６  画像情報取込部
３０３８  読取処理部
４００２  第３の送受信部
４００４  第３の接続処理部
４００６  第３の切断処理部
４００８  第３の通信制御部
４０１０  記憶・読出処理部
４０１２  記憶部
２０１４  セットアップ情報管理ＤＢ
６００２  音波出力部
６００４  音波出力制御部
６００６  記憶・読出処理部
６００８  記憶部
６０１０  セットアップ情報管理ＤＢ
７００２  表示制御部
７００４  記憶・読出処理部
７００６  記憶部
７００８  セットアップ情報管理ＤＢ
８００２  第４の送受信部
８００４  記憶・読出処理部
８００６  記憶部
８００８  セットアップ情報管理ＤＢ
【先行技術文献】
【特許文献】
【０１１７】
【特許文献１】特開２０１３−２４２９２５号公報
【図１】
2016158103.tif 000005
【図２】
2016158103.tif 000006
【図３】
2016158103.tif 000007
【図４】
2016158103.tif 000008
【図５】
2016158103.tif 000009
【図６】
2016158103.tif 000010
【図７】
2016158103.tif 000011
【図８】
2016158103.tif 000012
【図９】
2016158103.tif 000013
【図１０】
2016158103.tif 000014
【図１１】
2016158103.tif 000015
【図１２】
2016158103.tif 000016
【図１３】
2016158103.tif 000017
【図１４】
2016158103.tif 000018